(57)【要約】      （修正有）【課題】紫外線の存在を容易に認識でき、携帯品の使用を促す機能を有すると共に、デザイン的にも優れている紫外線チェック機能付き携帯品を提供する。【解決手段】紫外線チェック機能付き携帯品１は、紫外線をカットする生地を用いた携帯品本体１０と、携帯品本体１０に取り付けた紫外線チェッカー２５とを備える。携帯品本体１０は、傘本体、手袋本体又は帽子本体であることが好ましい。【選択図】図１
0003169925.tif 000002
【実用新案登録請求の範囲】
【請求項１】
紫外線をカットする生地を用いた携帯品本体と、該携帯品本体に取り付けた紫外線チェッカーとを備えることを特徴とする紫外線チェック機能付き携帯品。
【請求項２】
前記携帯品本体は、傘本体である請求項１に記載の紫外線チェック機能付き携帯品。
【請求項３】
前記携帯品本体は、手袋本体である請求項１に記載の紫外線チェック機能付き携帯品。
【請求項４】
前記携帯品本体は、帽子本体である請求項１に記載の紫外線チェック機能付き携帯品。
【請求項５】
前記紫外線チェッカーは、前記傘本体の露先、石突き、ネーム、手元又はカバーに取り付けられている請求項２に記載の紫外線チェック機能付き携帯品。
【請求項６】
前記紫外線チェッカーは、前記手袋本体の指部、手首部、甲部又は腕部に取り付けられている請求項３に記載の紫外線チェック機能付き携帯品。
【請求項７】
前記紫外線チェッカーは、前記帽子本体の表面に取り付けられている請求項４に記載の紫外線チェック機能付き携帯品。
【考案の詳細な説明】
【技術分野】
【０００１】
本考案は、紫外線チェック機能付き携帯品に関する。更に詳しくは、使用者自身が紫外線の存在を容易に認識でき、携帯品の使用を促す紫外線チェック機能付き携帯品に関する。
【背景技術】
【０００２】
従来、紫外線から身を守るための携帯品が多く市販されているが、紫外線の強度を判断して、その携帯品を使用するか否かを判断するのは困難である。
【０００３】
ここで、紫外線の強弱を容易に知ることができるようにして、紫外線対策を容易に行なうことができる携帯品および携帯品用紫外線表示具が提案されている（例えば、特許文献１参照。）。
この携帯品は、携帯品本体と、この携帯品本体に取付けられた紫外線の強弱を表示することができる紫外線表示具とで構成されている。
また、紫外線表示具は、携帯品に接着固定することができる、背面の接着剤層が剥離紙で覆われたシール状の表示具本体と、この表示具本体の表面に設けられた紫外線の強弱を表示する紫外線表示部とで構成されている。
【０００４】
この携帯品は、携帯品本体に紫外線の強弱を表示することができる紫外線表示具が取付けられているため、外出時に携帯品を持参することにより、紫外線の強弱を容易に知ることができる。
【先行技術文献】
【特許文献】
【０００５】
【特許文献１】特開２００５−２４９４７４号公報
【考案の概要】
【考案が解決しようとする課題】
【０００６】
しかし、特許文献１の紫外線表示具は、機能的には優れているものの、シール状であるため平面的で、デザインとしては特徴的なものとはいえない。
本考案は、使用者自身が紫外線の存在を容易に認識でき、携帯品の使用を促す機能を有すると共に、デザイン的にも優れている紫外線チェック機能付き携帯品を提供することを目的とする。
【課題を解決するための手段】
【０００７】
本考案は、以下の通りである。
１．紫外線をカットする生地を用いた携帯品本体と、該携帯品本体に取り付けた紫外線チェッカーとを備えることを特徴とする紫外線チェック機能付き携帯品。
２．前記携帯品本体は、傘本体である１．に記載の紫外線チェック機能付き携帯品。
３．前記携帯品本体は、手袋本体である１．に記載の紫外線チェック機能付き携帯品。
４．前記携帯品本体は、帽子本体である１．に記載の紫外線チェック機能付き携帯品。
５．前記紫外線チェッカーは、前記傘本体の露先、石突き、ネーム、手元又はカバーに取り付けられている２．に記載の紫外線チェック機能付き携帯品。
６．前記紫外線チェッカーは、前記手袋本体の指部、手首部、甲部又は腕部に取り付けられている３．に記載の紫外線チェック機能付き携帯品。
７．前記紫外線チェッカーは、前記帽子本体の表面に取り付けられている４．に記載の紫外線チェック機能付き携帯品。
【考案の効果】
【０００８】
１．本考案の紫外線チェック機能付き携帯品は、紫外線をカットする生地を用いた携帯品本体と、該携帯品本体に取り付けた紫外線チェッカーとを備えているため、使用者自身が紫外線の存在を容易に認識でき、携帯品の使用を促す機能を有すると共に、デザイン的にも優れている。
２．前記携帯品本体が傘本体である場合には、紫外線を遮る効果が高いため、使用者自身を紫外線から効果的に保護することができる。
３．前記携帯品本体が手袋本体である場合にも、紫外線を遮る効果が高いため、使用者自身を紫外線から効果的に保護することができる。
４．前記携帯品本体は、帽子本体である場合にも、紫外線を遮る効果が高いため、使用者自身を紫外線から効果的に保護することができる。
５．前記紫外線チェッカーが、前記傘本体の露先、石突き、ネーム、手元又はカバーに取り付けられている場合には、視認しやすく傘全体としてのデザインを高め、よりファッション的な効果が得られる。
６．前記紫外線チェッカーが、前記手袋本体の指部、手首部、甲部又は腕部の表面に取り付けられている場合にも、視認しやすく手袋全体としてのデザインを高め、よりファッション的な効果が得られる。
７．前記紫外線チェッカーが、前記帽子本体の表面に取り付けられている場合にも、視認しやすく帽子全体としてのデザインを高め、よりファッション的な効果が得られる。
【図面の簡単な説明】
【０００９】
【図１】本考案の第１実施形態に係り、折り畳み傘の手元房に、ビーズ状の紫外線チェッカーを取り付けた例を示す斜視図である。
【図２】本考案の第１実施形態に係り、折り畳み傘において、（ａ）紫外線チェッカーの取り付け構造を示す斜視図、（ｂ）Ａ−Ａ断面図である。
【図３】本考案の第２実施形態に係り、折り畳み傘において、手元房が取り付けてある丸カンに併せて星形の紫外線チェッカーを取り付けた例を示す斜視図である。
【図４】本考案の第３実施形態に係り、長傘の露先部分の穴に、金具を介して星形の紫外線チェッカーを取り付けた例を示す斜視図である。
【図５】本考案の第４実施形態に係り、長傘の露先部分の穴に、丸カンを介してハート形の紫外線チェッカーを取り付けた例を示す斜視図である。
【図６】本考案の第５実施形態に係り、長傘の手元に取り付けた係止具に接続した丸カンに星形の紫外線チェッカーを取り付けた例を示す斜視図である。
【図７】本考案の第６実施形態に係り、傘のネーム部分に丸カンを介して星形の紫外線チェッカーを取り付けた例を示す斜視図である。
【図８】本考案の第７実施形態に係り、手袋の指部に縫合により星形の紫外線チェッカーを取り付けた例を示す斜視図である。
【図９】本考案の第８実施形態に係り、手袋のくるぶし部に縫合によりリボンと組み合わせた星形の紫外線チェッカーを取り付けた例を示す斜視図である。
【図１０】本考案の第９実施形態に係り、帽子本体の側面に縫合により、リボンと組み合わせたビーズ状の紫外線チェッカーを取り付けた例を示す斜視図である。
【考案を実施するための形態】
【００１０】
以下、本考案の実施形態を示す図１〜１０を参照しながら本考案を詳しく説明する。
尚、本考案は、かかる図に記載された具体例に示すものに限られず、目的、用途に応じて種々変更したものとすることができる。
以下の第１実施形態〜第９実施形態は、本考案の紫外線チェック機能付き携帯品（以下「携帯品」という。）を具体化した例である。
【００１１】
本考案で「紫外線チェッカー」とは、紫外線が照射するとその照射の程度に応じて、発色又は変色し、肉眼で視認することにより紫外線強度を判断することができる部材である。
その色の濃度から、紫外線対策として携帯品を使用するか否かの判断をすることができる。
紫外線チェッカーの形状は特に限定はされず、例えば、ビーズ形、星形、ハート形、花形又はリボン形などの形状を採用し、携帯品本体に取り付けることにより、携帯品本体と一体になってデザイン的に優れた外観を呈することができる。
この紫外線チェッカーの携帯品への取り付け箇所は特に限定されず、様々な箇所に取り付けることができる。例えば携帯品本体が傘本体であれば、傘の露先、石突き、ネーム、手元又はカバーなどに取り付けることができる。
本考案で「携帯品」とは、身につけたり、持ち運ぶ物であり、特に紫外線対策として有益な物をいう。例えば、傘、手袋及び帽子などが例示される。
【００１２】
［１］第１実施形態
第１実施形態に係る携帯品１は、紫外線をカットする生地を用いた携帯品本体としての傘本体１０と、該傘本体１０に取り付けた紫外線チェッカー２５とを備えている。
図１に示す紫外線チェッカー２５は、複数個のビーズからなり、折り畳み傘本体１０の手元１１に取着された手元房２０に取り付けられている。
具体的には、図２（ａ）に示すように、手元１１の側面部に挿着した係止具３１の貫通孔に丸カン３５を挿通し、丸カン３５に紐条２１の係止部２３が取り付けられている。
紐条２１に、両端に金属色の丸玉２２を携えた紫外線チェッカー２５が、遊挿されており、アクセサリーとしての高級感を醸し出している。
紫外線チェッカー２５は複数個のビーズからなり、紫外線が照射されると、それぞれが異なる色に変化し、紫外線が強く照射されるほど、より濃度が大きくなる。紫外線の強度を認識出来る機能を有すると共に、カラフルなデザインを呈することができる。
【００１３】
［２］第２実施形態
第２実施形態に係る携帯品２は、図３に示すように(傘の中軸１２及び手元１１のみ図示)、傘本体の手元１１に取り付けた紫外線チェッカー４０を備えている。手元１１の側面部に挿着した係止具３１の貫通孔に丸カン３５を挿通し、丸カン３５に手元房と併せて星形の紫外線チェッカー４０が取り付けられている。
手元房２１としての使用を担保しつつ、紫外線チェッカー４０により、紫外線の強度を認識出来ると共に、装飾品としてのデザインにおいても優れている。
【００１４】
［３］第３実施形態
第２実施形態に係る携帯品３は、図４に示すように(露先近傍のみ図示)、傘本体の露先１５に取り付けた紫外線チェッカー４０を備えている。露先１５の穴に丸カン３５を挿通し、丸カン３５に星形の紫外線チェッカー４０が取り付けられている。
紫外線チェッカー４０により、紫外線の強度を認識出来るとともに、装飾品としてのデザインにおいても優れている。
【００１５】
［４］第４実施形態
第４実施形態に係る携帯品４は、図５に示すように(露先近傍のみ図示)、第３実施形態における星形の紫外線チェッカー４０に代えてハート形の紫外線チェッカー５０としたものである。その作用効果は第３実施形態と同様である。
【００１６】
［５］第５実施形態
第５実施形態に係る携帯品５は、図６に示すように(手元近傍のみ図示)、傘の手元６０に、係止具３１、丸カン３５を介して、星形の紫外線チェッカー４０が取り付けられている。
その作用効果は第３、第４実施形態と同様である。なお、係止具３１は、傘の手元６０にネジ止めして取り付けられている。
【００１７】
［６］第６実施形態
第６実施形態に係る携帯品６は、図７に示すように、ネーム（傘を束ね固定するバンド）１６の先端係止部１６ａに丸カン３５を介して星形の紫外線チェッカー４０を取り付けたものである。その作用効果は第３〜第５実施形態と同様である。
【００１８】
［７］第７実施形態
第７実施形態に係る携帯品７は、図８に示すように、紫外線をカットする生地を用いた携帯品本体としての手袋本体７０と、手袋本体７０に取り付けた紫外線チェッカー４０とを備える。紫外線チェッカー４０は手袋本体７０の指部ｆに係止糸３７で縫着されている。
紫外線チェッカー４０により、紫外線の強度を認識できるとともに、指部ｆに取り付けることにより、指輪のイメージを醸し出すことができ、おしゃれを楽しむことができる。
【００１９】
［８］第８実施形態
第８実施形態に係る携帯品８は、図９に示すように、携帯品本体としての手袋本体７０と、手袋本体７０に取り付けたハート形の紫外線チェッカー５０とを備える。紫外線チェッカー５０は、手袋本体７０のくるぶし部ａに、リボン５１と共に係止糸３７により縫合して着脱自在に、取り付けられている。
紫外線チェッカー５０により、紫外線の強度を認識出来るとともに、くるぶし部ａにリボン５１と共に取り付けることにより、ワンポイントのおしゃれを楽しむことができる。
【００２０】
［９］第９実施形態
第９実施形態に係る携帯品９は、図１０に示すように、携帯品本体としての帽子本体９０と、帽子本体９０に取り付けたビーズ状の紫外線チェッカー２５とを備えている。紫外線チェッカー２５は、複数個のビーズからなり帽子本体９０の側面ｈにリボン５１と共に、図示しない係止糸により縫合して着脱自在に、取り付けられている。
紫外線チェッカー２５により、紫外線の強度を認識出来るとともに、側面ｈにリボン５１と共に、取り付けることにより、おしゃれを楽しむことができる。
【産業上の利用可能性】
【００２１】
本考案に係る携帯品の技術分野において有用である。特に傘及び手袋及び帽子の技術分野において有用である。
【符号の説明】
【００２２】
１、２、３、４、５、６    携帯品（傘）
７、８                    携帯品（手袋）
９                        携帯品（帽子）
１０                      携帯品本体（傘本体）
１１、６０                手元
１２                      中軸
１５                      露先
１６                      ネーム
１６ａ                    先端係止部
２０                      手元房
２１                      紐条
２２                      丸玉
２３                      係止部
２５、４０、５０          紫外線チェッカー
２７、５１                リボン
３１                      係止具
３５、３６                丸カン
３７                      係止糸
７０                      携帯品本体(手袋本体)
９０                      携帯品本体(帽子本体)
ａ                        くるぶし部
ｆ                        指部
ｈ                        側面
【図１】
0003169925.tif 000003
【図２】
0003169925.tif 000004
【図３】
0003169925.tif 000005
【図４】
0003169925.tif 000006
【図５】
0003169925.tif 000007
【図６】
0003169925.tif 000008
【図７】
0003169925.tif 000009
【図８】
0003169925.tif 000010
【図９】
0003169925.tif 000011
【図１０】
0003169925.tif 000012